(57)【要約】【課題】スピーカ部をスタンド部に強固に固定しつつ、スタンド部に対するスピーカ部の向きを容易に調整可能にするスピーカ装置を提供することを課題とする。【解決手段】スピーカ部２と、スピーカ部２と接触する接触部３１を有するスタンド部３と、スピーカ部２とスタンド部３とを締結する締結部４と、を備え、スピーカ部２は、締結部３が係合する係合溝部２２と、接触部３１が当接し、スタンド部３に対するスピーカ部２の角度の調整を可能にする曲面である被接触面２７と、を有し、締結部４は、係合溝部２２と係合する係合部４１と、係合部４１に連結され、スタンド部３に設けられるネジ穴３２と螺合するネジ部４３と、を有し、ネジ部４３を回してネジ穴に螺合することで、スタンド部３へのスピーカ部２の固定状態を調整可能とする。【選択図】図２
2010154180.tif 000002
【特許請求の範囲】
【請求項１】
スピーカ本体を有するスピーカ部と、
前記スピーカ部と接触する接触部を有し、該接触部を介して前記スピーカ部を支持するスタンド部と、
前記スピーカ部が前記接触部に接触した状態で前記スタンド部に固定されるように、該スピーカ部と該スタンド部とを締結する締結部と、を備え、
前記スピーカ部は、
前記スピーカ本体の前後方向に沿って延在する、前記締結部が係合する係合溝部と、
前記接触部に当接する被接触面であって、前記スピーカ本体の前後方向に沿った前記スピーカ部と前記スタンド部との相対移動によって、該スタンド部に対する該スピーカ部の角度の調整を可能にする曲面である被接触面と、を有し、
前記締結部は、
前記係合溝部と係合する係合部と、
前記係合部に連結され、前記スタンド部に設けられるネジ穴と螺合するネジ部と、を有し、
前記ネジ部を回して前記ネジ穴に螺合することで、前記スタンド部への前記スピーカ部の固定状態を調整可能とする、
スピーカ装置。
【請求項２】
前記接触部は、少なくとも３つ以上の突起により前記スピーカ部と接触し、
前記スピーカ部は、前記スピーカ本体の前後方向に沿って延在する、前記接触部の突起が嵌る溝部であって、前記スピーカ部に対する前記スタンド部の相対移動を案内する案内溝部を有し、
前記被接触面は、前記案内溝部の底面に形成される、
請求項１に記載のスピーカ装置。
【請求項３】
前記被接触面は、前記スピーカ部の重心を中心とする円弧に沿った曲面である、
請求項１または２に記載のスピーカ装置。
【請求項４】
前記締結部は、前記ネジ部を前記スタンド部のネジ穴に螺合する際に該ネジ部を該スタンド部のネジ穴に案内する棒状のネジ案内部を、該ネジ部の先端に有する、
請求項１から３の何れか一項に記載のスピーカ装置。
【請求項５】
前記スタンド部は、
前記係合溝部と非係合状態にある前記係合部を、該係合溝部へ係合可能にするための、該係合溝部の長手方向の一端に形成される開口部と、
前記開口部に設けられる抵抗部であって、前記係合溝部と係合状態にあり且つ該開口部に接近する前記係合部の動きを抑える抵抗部と、を備える、
請求項１から４の何れか一項に記載のスピーカ装置。
【発明の詳細な説明】
【技術分野】
【０００１】
本発明は、スピーカ装置に関する。
【背景技術】
【０００２】
スピーカは、音声を出力する際に振動する。このため、音質の向上や周囲への振動を抑制する観点から、スピーカとその周囲の構造物との振動伝達を考慮し、様々な振動伝達を防止する措置が講ぜられる。また、ユーザが好みの音響空間を形成するために、スピーカの位置や向きを自在に調整できることも望まれる。
【０００３】
そこで、例えば、特許文献１に開示されているような、円錐状の支持ピンを足パッドに点接触支持させるとともに、これらを覆う防振スリーブを用いる技術や、特許文献２に開示されているような、スピーカを一本の支持棒で支持することで音響性能の低下を防止する技術が提案されている。この他にも、例えば、特許文献３に開示されているような、複数のスピーカを積み重ねて容易に連結可能にする技術が提案されている。
【特許文献１】登録実用新案第３１０７４６２号公報
【特許文献２】特開平１１−２８９５８８号公報
【特許文献３】実開平５−６９９３号公報
【発明の開示】
【発明が解決しようとする課題】
【０００４】
スピーカは、転倒や落下を防ぎ、且つスピーカと周囲の構造物との間における振動伝達に起因する音質の劣化を防ぐため、スタンドに強固に固定される必要がある。他方、ユーザが自己の嗜好にあった音響空間を形成可能にするため、スピーカは位置や向きをユーザが所望する状態に調整できることが求められる。このような要請に応えるものとして、例えば、図７に示すスピーカ装置１０１のように、スピーカ１０２の支持部を２点のスパイク１０３、長さ調整可能な角度調整ネジ１０６、及び３本の固定用のボルト１０５で構成されており、角度調整ネジ１０６の長さを調整することにより、任意に決定された角度でスピーカ１０２をスタンド１０４にボルト１０５で固定するものがある。このスピーカ装置１０１では、スピーカ１０２がスパイクと角度調整ネジ１０６、ボルト１０５のごく小さい接合面で支えられることにより、振動伝達が低減されるとともに、３本のボルト１０５によりスタンド１０４に強固に固定される。しかし、このように、振動の伝達特性の改善とスピーカおよびスタンドの構造的な安定性との両立を図りつつ、スピーカの向きを調整可能とするべく、複数のボルト等を用いてスピーカをスタンドに固定すると、スピーカの向きを調整したい場合に操作が煩わしい。
【０００５】
本発明は、上記した問題に鑑みてなされたものであり、スピーカ部をスタンド部に強固に固定しつつ、スタンド部に対するスピーカ部の向きを容易に調整可能にするスピーカ装置を提供することを課題とする。
【課題を解決するための手段】
【０００６】
本発明は、上記課題を解決するために、スタンド部が接触部を介してスピーカ部を支持するようにすると共に、スピーカ部に設けられる係合溝に係合する係合部に連結されるネジをスタンド部のネジ穴に螺合させることで、スタンド部へスピーカ部を固定することとした。これによれば、ネジを回転させるだけでスタンド部へのスピーカ部の固定状態が調整可能となる。
【０００７】
詳細には、スピーカ本体を有するスピーカ部と、前記スピーカ部と接触する接触部を有
し、該接触部を介して前記スピーカ部を支持するスタンド部と、前記スピーカ部が前記接触部に接触した状態で前記スタンド部に固定されるように、該スピーカ部と該スタンド部とを締結する締結部と、を備え、前記スピーカ部は、前記スピーカ本体の前後方向に沿って延在する、前記締結部が係合する係合溝部と、前記接触部に当接する被接触面であって、前記スピーカ本体の前後方向に沿った前記スピーカ部と前記スタンド部との相対移動によって、該スタンド部に対する該スピーカ部の角度の調整を可能にする曲面である被接触面と、を有し、前記締結部は、前記係合溝部と係合する係合部と、前記係合部に連結され、前記スタンド部に設けられるネジ穴と螺合するネジ部と、を有し、前記ネジ部を回して前記ネジ穴に螺合することで、前記スタンド部への前記スピーカ部の固定状態を調整可能とする。
【０００８】
上記スピーカ装置は、スタンド部に設けられる接触部を介して、スピーカ部がスタンド部に支持される。スタンド部の接触部と接触するスピーカ部の被接触面は、スタンド部に対するスピーカ部の角度を調整可能とする曲面で形成されている。被接触面が曲面となっているため、接触部が被接触面に接触しながら該被接触面内で動くことで、スタンド部に対するスピーカ部の相対的な角度が変わる。
【０００９】
ここで、上記スピーカ装置は、スピーカ部が、スタンド部の接触部に接触した状態で固定されるように両者を締結することで、スタンド部にスピーカ部を固定するものであり、両者を締結する締結部を備えている。この締結部は、スピーカ部に設けられる係合溝部に係合部が係合する。係合溝部がスピーカ本体の前後方向に沿って延在するように形成されているため、締結部は、スピーカ本体の前後方向に沿うように係合溝部と相対的に移動可能である。また、締結部は、スタンド部に設けられるネジ穴と羅合するネジ部を有している。このネジ部は係合部に連結されているため、ネジ部がスタンド部のネジ穴と羅合した状態だと、スピーカ部に係合する係合部がスタンド部に対して変位できない。しかし、係合部は、上記したようにスピーカ本体の前後方向に沿うように相対移動が可能な係合溝部に係合している。このため、係合部が係合溝部に係合し、ネジ部がスタンド部のネジ穴に羅合していても、締結部に締結力が作用していなければ、スピーカ部はスタンド部に対して容易に相対移動が可能である。
【００１０】
ところで、接触部が接触する被接触面は上記したように曲面で形成されているため、接触部が被接触面に当接した状態で、スピーカ部がスタンド部に対してスピーカ本体の前後方向に沿うように移動されると、スタンド部に対するスピーカ部の角度が変化すると共に、ネジ穴と螺合状態にあるネジ部と連結されている係合部が係合溝部をスピーカ本体の前後方向に沿って移動することになる。従って、締結部にスピーカ部とスタンド部とを締結する締結力が作用していなければ、スピーカ部とスタンド部との相対的に移動による、スタンド部に対するスピーカ部の角度の調整が可能となり、締結部に締結力が作用していれば、スピーカ部がスタンド部に固定されるのでスタンド部に対するスピーカ部の角度も固定されることとなる。
【００１１】
締結部の締結力は、ネジ部がネジ穴へ締め付けられることで生ずる。すなわち、スタンド部が接触部を介してスピーカ部を支持している状態においては、スタンド部とスピーカ部とが相対的に移動されない限り、スピーカ部の係合溝部とスタンド部のネジ穴との相対的な位置関係も変化しない。このため、締結部のネジ部がネジ穴と螺合した状態でネジ部が回されると、ネジ部とスタンド部とが相対的に変位するので、ネジ部と連結される係合部も共に変位する。従って、ネジ部を回すことで、スタンド部へのスピーカ部の固定状態を調整することが可能となる。
【００１２】
以上のように構成されるスピーカ装置であれば、締結部によってスピーカ部がスタンド部に固定されると共に、ネジ部を回せばスピーカ部の向きの調整が可能となるため、スピ
ーカ部をスタンド部に強固に固定しつつ、スタンド部に対するスピーカ部の向きを容易に調整可能にすることが可能となる。
【００１３】
また、前記接触部は、少なくとも３つ以上の突起により前記スピーカ部と接触し、前記スピーカ部は、前記スピーカ本体の前後方向に沿って延在する、前記接触部の突起が嵌る溝部であって、前記スピーカ部に対する前記スタンド部の相対移動を案内する案内溝部を有し、前記被接触面は、前記案内溝部の底面に形成されるものであってもよい。
【００１４】
３つ以上の突起がスピーカ部に接触するものであれば、スピーカ部が３点支持されて姿勢が安定的に保たれると共に、スピーカ部とスタンド部との接触部分が小さいため、スピーカ部からスタンド部へ伝わる振動が抑制される。更に、スピーカ本体の前後方向に沿って延在する、スピーカ部に設けられる案内溝部に突起が嵌っているため、スピーカ部をスタンド部に対して相対的に前後方向に移動させた際、突起が案内溝部の長手方向に沿って案内される。従って、スタンド部とスピーカ部とを相対的に変位させる前後方向の操作が容易となり、スタンド部に対するスピーカ部の角度の調整が容易になる。
【００１５】
また、前記被接触面は、前記スピーカ部の重心を中心とする円弧に沿った曲面であってもよい。被接触面がこのように構成されていれば、スタンド部に対するスピーカ部の角度を変化させても、スピーカ部の重心がスタンド部に対して相対的に変位することがなくなるため、スタンド部によって支持されるスピーカ部の姿勢が安定する。
【００１６】
また、前記締結部は、前記ネジ部を前記スタンド部のネジ穴に螺合する際に該ネジ部を該スタンド部のネジ穴に案内する棒状のネジ案内部を、該ネジ部の先端に有するものであってもよい。このように構成されるスピーカ装置であれば、係合部を係合溝部に係合させた状態でネジ部をネジ穴に螺合する際に、ネジ部がネジ穴に案内されるので、締結部でスピーカ部とスタンド部とを締結させる操作が容易になる。
【００１７】
また、前記スタンド部は、前記係合溝部と非係合状態にある前記係合部を、該係合溝部へ係合可能にするための、該係合溝部の長手方向の一端に形成される開口部と、前記開口部に設けられる抵抗部であって、前記係合溝部と係合状態にあり且つ該開口部に接近する前記係合部の動きを抑える抵抗部と、を備えるものであってもよい。このように構成されるスピーカ装置であれば、ネジ部を回して締結部の締結力を解除した状態において、スピーカ部をスタンド部に対して相対的に前後に動かした場合に、係合部が係合溝部から容易に外れなくなる。従って、スピーカ部がスタンド部から簡単に外れてしまうことがなくなる。
【発明の効果】
【００１８】
スピーカ部をスタンド部に強固に固定しつつ、スタンド部に対するスピーカ部の向きを容易に調整可能にするスピーカ装置を提供することが可能となる。
【発明を実施するための最良の形態】
【００１９】
以下、本願発明の実施形態について説明する。なお、以下に示す各実施形態は、本願発明の具体的な実施形態を例示的に示すものであり、本願発明の権利範囲を限定するものではない。
【００２０】
図１は、実施形態に係るスピーカ装置１の外観図である。スピーカ装置１は、図１に示すように、スピーカ２１（本発明でいうスピーカ本体に相当する）を有するスピーカ部２（本発明でいうスピーカ部に相当する）と、スピーカ部２を支持するスタンド３（本発明でいうスタンド部に相当する）とを備えている。スピーカ部２は、電気信号を音声に変換するスピーカ２１を内蔵し、外観が略球体状に形成されている。スピーカ部２は、固定機
構５により、スタンド３に固定されている。
【００２１】
図２は、スピーカ部２をスタンド３に固定する固定機構５、及びその周辺の構造を示す図である。図２は、左側がスピーカ装置１の前方で、右側がスピーカ装置１の後方となるように、固定機構５及びその周辺をスピーカ装置１の左側から見た場合の構造を示す。図２に示すように、固定機構５は、スピーカ部２に設けられる係合溝２２、スタンド３から上方に突設される突起３１、スタンド３に設けられるネジ穴３２、係合溝２２及びネジ穴３２に係合するガイドネジ４、ガイドネジ４を係合溝２２から着脱可能にする開口２３によって形成されている。また、図３は、固定機構５のうち、特にガイドネジ４と係合溝２２との係合状態を拡大して示した図である。
【００２２】
図２や図３に示されるように、係合溝２２は、スピーカ部２の内部の下側部分に形成される中空部２４を、スピーカ部２の下側と連通させる細長い穴で形成されている。この係合溝２２は、ガイドネジ４の頭に設けられる半球状の係合部４１よりも幅が細い穴で形成されることで、ガイドネジ４の係合部４１が係合溝２２から抜けないで引っ掛かるようになっている。なお、図２や図３に示されるように、係合溝２２の長手方向の一端に設けられる、ガイドネジ４を係合溝２２から着脱可能にする開口２３は、係合部４１よりも大きく開口しており、係合部４１を出し入れ可能である。係合溝２２は、開口２３を形成する穴の縁からスピーカ部２の前方に向かって延在する細長い穴で形成されることで、ガイドネジ４の首の部分を形成する軸４２の受け入れを可能とし、係合溝２２の中空部２４側が係合部４１を引っ掛ける。なお、開口２３の中空部２４側の縁は、その周辺よりも隆起した落下防止用リブ２５が形成されている。この落下防止用リブ２５は、ガイドネジ４が係合溝２２の中で動いた際、ガイドネジ４の係合部４１がこの隆起した落下防止用リブ２５に接触することで係合部４１が係合溝２２から開口２３に容易に移動しないように、係合部４１の動きを規制する。なお、係合部４１のこのような動きを規制するものとしては、例えば、係合部４１が開口２３を介して係合溝２２の内外を出入りする際の障害物として機能するスポンジやバネといった弾性変形可能なものを適用することも可能である。
【００２３】
ネジ穴３２は、スタンド３の上端から上方に開口する穴であり、ガイドネジ４のネジ部４３と螺合する。ネジ穴３２の下側には、ネジ部４３をネジ穴３２へ案内するガイド４６が挿入されるガイド穴３３が形成されている。このガイド穴３３は、ネジ部４３をネジ穴３２に入れる際、ネジ部４３の中心軸とネジ穴３２の中心軸とが一致するように、スタンド３に対するガイドネジ４の相対的な位置合わせを行う。なお、ガイドネジ４には、ユーザがネジ部４３を回転操作するための、円盤状のダイヤル部４４が設けられている。ネジ部４３をネジ穴３２に螺合する際は、このダイヤル部４４を介してネジ部４３を回転させる。ダイヤル部４４を介してネジ部４３が回転されることにより、係合部４１が変位してスタンド３へのスピーカ部２の固定状態が調整される。すなわち、スタンド３へのスピーカ部２の固定状態を、強固に固定した状態にしたり、やや緩めた状態にしたり、或いはネジ部４３がネジ穴３２から離れてスピーカ部２がスタンド３と分離する状態にする。
【００２４】
図４は、スピーカ部２とスタンド３とを離間させた状態の固定機構５を示した図である。図４に示されるように、スタンド３の上端には、３つの突起３１（本発明でいう接触部に相当する）が設けられている。３つの突起３１は、スピーカ部２に設けられる３つの案内溝２６にそれぞれ嵌ることで、スピーカ部２を３点で支持する。また、突起３１の先端はスパイク状になっており、突起３１とスピーカ部２とが点接触状態となることで、スピーカ部２とスタンド３との間でスピーカ２１の振動伝播が抑制される。なお、上述したネジ穴３２は、これら３つの突起３１の概ね中心付近に位置している。よって、係合部４１が係合溝２２に係合した状態でネジ部４３がネジ穴３２にねじ込まれ、ガイドネジ４がスピーカ部２とスタンド３とを締結すると、各突起３１にスピーカ部２からの荷重が概ね均等に加わる。これにより、スピーカ部２は、３つの突起３１に支持された状態でスタンド
３に固定される。また、上記固定機構５では、スピーカ部２の安定的な支持のため、３つの突起３１を備えているが、４つ以上であってもよい。
【００２５】
図５は、スピーカ部２の向きを上下に調整できる範囲を示したものである。突起３１が嵌る案内溝２６は、スピーカ２１の前後方向に沿って延在する溝である。よって、突起３１が案内溝２６において動ける範囲内で、スピーカ部２をスタンド３に対して相対的に前後に動かすことが可能である。よって、ユーザは、スタンド３に支持されたスピーカ部２を好みの角度に調整することが可能である。なお、スピーカ部２を動かすことができる範囲は、水平に対して０°〜１２°の範囲である。調整可能な角度の範囲は、係合溝２２の長手方向の長さ、及び案内溝２６の長手方向の長さに応じて画定されるものであり、これらの長さが長ければ、スピーカ部２を動かすことができる範囲も広がる。係合溝２２と案内溝２６を長くする場合は、両者が干渉しないように、配置を適宜調整することが望まれる。なお、スピーカ２１の前後方向とは、スピーカ２１の正面方向、すなわち、スピーカ２１の音が進む方向を前方とし、その逆を後方とする方向である。ここで、スピーカ部２に複数のスピーカが、それぞれ異なる向きに取り付けられているような場合は、任意に選択される何れかのスピーカの向きを基準とする。
【００２６】
ここで、案内溝２６の底面は、図５の符号Ａを中心とし、符号Ｒで示される半径の円弧に沿った曲面２７（本発明でいう非接触面に相当する）を形成しており、突起３１がこの面に当接することでスピーカ部２が支持される。図５の符号Ａは、スピーカ部２の重心の位置を示すものである。曲面２７がスピーカ部２の重心を中心とする円弧に沿うように形成されているため、スピーカ部２の姿勢がどのように変化しても、突起３１が曲面２７に接する状態でスピーカ部２を支持している限り、スピーカ部２の重心は概ね同じ位置になる。また、スピーカ部２の重心は、ネジ部４３がネジ穴３２に螺合した状態におけるガイドネジ４の中心軸上に位置するように、３つの突起３１の高さがそれぞれ調整されている。従って、スタンド３が垂直に立っていれば、ガイドネジ４が緩められた状態であっても、スピーカ部２がスタンド３から落ちないように、3つの突起３１によって支持される。
【００２７】
図６は、ガイドネジ４の外観図である。図６に示すように、ガイドネジ４の軸４２には、軸４２を貫通する貫通穴４５が設けられている。これは、ガイドネジ４が固く締め付けられており、ダイヤル部４４ではユーザが回転操作できない場合に、この貫通穴４５に金属の棒等を挿入し、この棒でガイドネジ４を回転操作可能にするものである。これにより、ダイヤル部４４ではガイドネジ４を回転操作できなくなってしまったような場合においても、ガイドネジ４を回転させることが可能となる。
【００２８】
以上のように構成されるスピーカ装置１であれば、ガイドネジ４を回転操作するだけで、スピーカ部２のスタンド３への組み付けからスピーカ部２の角度調整まで可能であるため、ボルト等でスピーカ装置１を３点で支持するような場合に比べて極めて簡単に組み付けを行うことが可能である。
【００２９】
なお、上記実施形態においては、外観が略球体状のスピーカ部２をスタンド３で固定していたが、本発明の適用対象はこのような実施態様に限定されるものではない。本発明は、例えば、外観が方形のスピーカ本体や、垂直方向の高さがほとんど無いスタンドにも適用可能である。但し、外観が方形のスピーカ本体に適用する場合、少なくとも案内溝の底面や係合溝は曲面に形成されている必要がある。
【図面の簡単な説明】
【００３０】
【図１】実施形態に係るスピーカ装置の外観図。
【図２】実施形態に係るスピーカ装置の固定機構及びその周辺の構造図。
【図３】実施形態に係るスピーカ装置のガイドネジと係合溝との係合状態を示す図。
【図４】実施形態に係るスピーカ装置の固定機構５を示した図。
【図５】実施形態に係るスピーカ装置のスピーカ本体の可動範囲を示す図。
【図６】実施形態に係るスピーカ装置のガイドネジの外観図。
【図７】従来技術に係るスピーカ装置の外観図。
【符号の説明】
【００３１】
１・・スピーカ装置
２・・スピーカ部
２１・・スピーカ
２２・・係合溝
２５・・落下防止用リブ
２６・・案内溝
２７・・曲面
３・・スタンド
３１・・突起
４・・ガイドネジ
４１・・係合部
４３・・ネジ部
４４・・ダイヤル部
【図１】
2010154180.tif 000003
【図２】
2010154180.tif 000004
【図３】
2010154180.tif 000005
【図４】
2010154180.tif 000006
【図５】
2010154180.tif 000007
【図６】
2010154180.tif 000008
【図７】
2010154180.tif 000009